(57)【要約】【課題】  バーナに対する点火処理を良好に行えるようにしながらも、点火が行われた後には、被加熱物の外径に適した燃焼量になり、全体として使い勝手がよいコンロを提供する。【解決手段】  五徳２に載置された被加熱物Ｎを加熱するバーナ３と、そのバーナ３の燃焼量を変更調整自在な燃焼量調整手段１３と、バーナの３燃焼状態を制御する燃焼制御手段１００と、五徳２に載置された被加熱物Ｎの外径を検出する外径検出手段Ｋとを備え、燃焼制御手段１００は、点火指令手段により点火が指令されると、点火用燃焼量になるように燃焼量調整手段１３を調整してバーナ３に点火する点火処理を実行し、点火処理を実行した後に、外径検出手段Ｋの検出情報に基づいて被加熱物Ｎの外径に対応した燃焼量になるように燃焼量調整手段１３を制御する。【選択図】        図２
2006242481.tif 000002
【特許請求の範囲】
【請求項１】
五徳に載置された被加熱物を加熱するバーナと、そのバーナの燃焼量を変更調整自在な燃焼量調整手段と、前記バーナの燃焼状態を制御する燃焼制御手段と、前記五徳に載置された被加熱物の外径を検出する外径検出手段とを備えたコンロであって、
前記外径検出手段が、被加熱物に接触しない非接触状態で被加熱物の外径を検出するように構成され、
前記燃焼制御手段は、前記外径検出手段の検出情報に基づいて被加熱物の外径に対応した燃焼量になるように前記燃焼量調整手段を制御する燃焼量調整処理を実行するように構成されているコンロ。
【請求項２】
前記燃焼制御手段は、
点火指令手段により点火が指令されると、点火用燃焼量になるように前記燃焼量調整手段を調整して前記バーナに点火する点火処理を実行するように構成され、且つ、前記点火処理を実行した後に、前記燃焼量調整処理を実行するように構成されている請求項１記載のコンロ。
【請求項３】
前記外径検出手段が、
天板の下方側に位置する状態で備えられて、その天板に形成された光透過窓を通して上方に光を照射し、且つ、被加熱物の底部にて反射してくる反射光を検出する光学式検出手段と、
その光学式検出手段の検出情報に基づいて被加熱物の外径を判別する外径判別手段とを備えて構成されている請求項１又は２記載のコンロ。
【請求項４】
前記光学式検出手段が、互いに異なる箇所に位置させて複数設けられ、且つ、それら複数の光学式検出手段が互いに異なるタイミングで光を照射して前記反射光を検出するように検出用作動タイミングを制御されるように構成され、
前記外径判別手段が、前記複数の光学式検出手段の検出情報に基づいて被加熱物の外径を判別するように構成されている請求項３記載のコンロ。
【請求項５】
前記光学式検出手段が、平面視で前記バーナの中心部を中心位置として複数重の同心円状又はほぼ同心円状に並び、且つ、周方向に間隔をあけて並ぶ状態で複数設けられ、
前記外径判別手段が、前記複数の光学式検出手段の検出情報に基づいて被加熱物の外径を判別するように構成されている請求項３又は４記載のコンロ。
【請求項６】
前記光学式検出手段が、前記バーナの径方向に沿って被加熱物の外径を検出するための検出用移動範囲にわたって駆動移動される状態で設けられ、
前記外径判別手段が、前記光学式検出手段が移動されたときのその光学式検出手段の検出情報に基づいて、被加熱物の外径を判別するように構成されている請求項３記載のコンロ。
【請求項７】
前記五徳に被加熱物が載置されているか否かを検出する載置状態検出手段が設けられ、
前記燃焼制御手段は、
前記点火指令手段により点火が指令されたときに、前記載置状態検出手段にて前記五徳に被加熱物が載置されていないことが検出されると、前記点火処理を実行しないように構成されている請求項１〜６のいずれか１項に記載のコンロ。
【発明の詳細な説明】
【技術分野】
【０００１】
本発明は、鍋等の被加熱物を加熱して調理等を行うためのコンロに関し、詳しくは、五徳に載置された被加熱物を加熱するバーナと、そのバーナの燃焼量を変更調整自在な燃焼量調整手段と、前記バーナの燃焼状態を制御する燃焼制御手段と、前記五徳に載置された被加熱物の外径を検出する外径検出手段とを備えたコンロに関する。
【背景技術】
【０００２】
上記構成のコンロにおいて、従来では、前記外径検出手段によって五徳に載置された被加熱物の外径を検出するように構成され、その被加熱物の外径の検出結果に基づいて、燃焼量調整手段により変更調整されるバーナの燃焼量の調節可能範囲の最大値を変更させて、その変更状態を維持するように構成したものがあった。
【０００３】
説明を加えると、前記外径検出手段によって被加熱物の外径が大径であることが検出されると、燃焼量調整手段により変更調整されるバーナの燃焼量の調節可能範囲の最大値を大きい値にして、被加熱物の外径が小径であることが検出されると、前記バーナの燃焼量の調整可能範囲の最大値を小さい値に規制するように構成されたものであり、被加熱物の外径の大きさに応じた適切な燃焼量で加熱を行うことができるようにしている。
【０００４】
そして、前記外径検出手段が次のように構成されていた。
すなわち、前記バーナの外周部において、平面視にて前記バーナの中心位置から五徳に載置される被加熱物の径方向に設定距離離れた箇所に五徳の上部よりも上方に突出する状態で昇降自在な鍋径検出用のロッドを設けて、被加熱物が五徳に載置されたときに、大径の被加熱物であれば前記ロッドが押し下げられ、小径の被加熱物であればロッドが押し下げられることがないようにして、そのロッドの位置の違いに基づいて被加熱物の外径を検出する構成となっていた（例えば、特許文献１参照。）。
【０００５】
【特許文献１】特開平９−５３８２７号公報
【発明の開示】
【発明が解決しようとする課題】
【０００６】
上記従来構成においては、大径の被加熱物であれば大きな燃焼量にて適切に調理加熱することができ、又、小径の被加熱物であれば小さい燃焼量で適切に調理加熱するようにしながら被加熱物の外周部から火炎が溢れる炎溢れが発生しない状態で調理を行うことができるのであるが、上記従来構成では、未だ次のような不利な点があった。
【０００７】
すなわち、上記従来構成においては、五徳の上部よりも上方に突出する状態で前記ロッドが設けられ、そのロッドに被加熱物が接触してそのロッドを押し下げる構成となっていることから、被加熱物が前記ロッドに頻繁に接当することにより、例えば、ロッドが早期に変形して外径を適正に検出することができない状態になるおそれがあり、しかも、被加熱物が前記ロッドに接当することにより被加熱物が傷つくおそれもあり、この点で改善の余地があった。
【０００８】
本発明の目的は、被加熱物をその外径に応じた適切な燃焼量にて加熱することが可能なものでありながら、被加熱物が傷つくおそれが少なく長期にわたり良好な状態で被加熱物の外径を検出することが可能となるコンロを提供する点にある。
【課題を解決するための手段】
【０００９】
本発明に係るコンロは、五徳に載置された被加熱物を加熱するバーナと、そのバーナの燃焼量を変更調整自在な燃焼量調整手段と、前記バーナの燃焼状態を制御する燃焼制御手段と、前記五徳に載置された被加熱物の外径を検出する外径検出手段とを備えたものであって、その第１特徴構成は、前記外径検出手段が、被加熱物に接触しない非接触状態で被加熱物の外径を検出するように構成され、前記燃焼制御手段は、前記外径検出手段の検出情報に基づいて被加熱物の外径に対応した燃焼量になるように前記燃焼量調整手段を制御する燃焼量調整処理を実行するように構成されている点にある。
【００１０】
第１特徴構成によれば、前記外径検出手段が被加熱物に接触しない非接触状態で被加熱物の外径を検出し、燃焼制御手段は、外径検出手段の検出情報に基づいて被加熱物の外径に対応した燃焼量になるように燃焼量調整手段を制御することになる。つまり、大径の被加熱物であれば大きな燃焼量にて適切に加熱することができ、又、小径の被加熱物であれば、小さい燃焼量で調理加熱することになり、不必要に大きな燃焼量になることがなく適切な燃焼量で加熱することができる。
【００１１】
上述したように、前記外径検出手段が被加熱物に接触しない非接触状態で被加熱物の外径を検出するように構成されているから、被加熱物は五徳以外の他物に接当することがないので被加熱物が傷つくおそれが少なく、しかも、外径検出手段自身も機械的な接当がなく長期にわたり良好な状態で被加熱物の外径を検出することができる。
【００１２】
従って、被加熱物をその外径に応じた適切な燃焼量にて加熱することが可能なものでありながら、被加熱物が傷つくおそれが少なく長期にわたり良好な状態で被加熱物の外径を検出することが可能となるコンロを提供できるに至った。
【００１３】
本発明の第２特徴構成は、第１特徴構成に加えて、前記燃焼制御手段は、点火指令手段により点火が指令されると、点火用燃焼量になるように前記燃焼量調整手段を調整して前記バーナに点火する点火処理を実行するように構成され、且つ、前記点火処理を実行した後に、前記燃焼量調整処理を実行するように構成されている点にある。
【００１４】
第２特徴構成によれば、燃焼制御手段は、点火指令手段により点火が指令されると、点火用燃焼量になるように燃焼量調整手段を調整してバーナに点火する点火処理を実行することにより、点火用燃焼量としてバーナの点火に適した燃焼量を設定しておくと、着火ミスを起こすおそれがなく良好に点火を行うことが可能となる。
【００１５】
そして、燃焼制御手段は、点火処理を実行した後に、前記外径検出手段の検出情報に基づく燃焼量調整処理を実行することにより、点火処理を実行した後においては、バーナの燃焼量が点火用燃焼量から自動的に被加熱物の外径に対応した燃焼量に自動調節されることになる。
【００１６】
従って、バーナに点火が行われた後には被加熱物をその外径に応じた適切な燃焼量にて加熱することが可能なものでありながら、バーナに対する点火処理を良好に行うことが可能となる。
【００１７】
本発明の第３特徴構成は、第１特徴構成又は第２特徴構成に加えて、前記外径検出手段が、天板の下方側に位置する状態で備えられて、その天板に形成された光透過窓を通して上方に光を照射し、且つ、被加熱物の底部にて反射してくる反射光を検出する光学式検出手段と、その光学式検出手段の検出情報に基づいて被加熱物の外径を判別する外径判別手段とを備えて構成されている点にある。
【００１８】
第３特徴構成によれば、五徳に載置されている被加熱物の外径を検出するときは、天板の下方側に位置する状態で備えられた光学式検出手段が、天板に形成された光透過窓を通して上方に光を照射する。そして、被加熱物の底部にて反射してくる反射光を検出するとその光学式検出手段の上方箇所における被加熱物が存在していることになり、前記反射光が検出されなければその光学式検出手段の上方箇所には被加熱物が存在していないことになる。そこで、前記光学式検出手段を五徳に載置される被加熱物に対して外径を判別することが適切な箇所に設置しておくと、この光学式検出手段の検出情報を用いて被加熱物の外径を判別することが可能となるから、外径判別手段はこのような光学式検出手段の検出情報に基づいて、五徳に載置されている被加熱物の外径を判別することができる。
【００１９】
上記構成によれば、天板の下方側に設けられた光学式検出手段が光透過窓を通して光を照射し、且つ、被加熱物にて反射して光透過窓を通して受光される反射光を利用して、被加熱物の存否を判別することにより被加熱物の外径を判別する構成であるから、天板には光透過窓を設けるだけでよく、天板の上面よりも上方に突出するような突起物が存在せず、天板の上面は平らな平面で仕上げることが可能となる。その結果、コンロの外観上の美観を向上させることが可能であり、又、天板の上部を清掃するときに雑巾等が引っ掛かるものがなく清掃を行い易いものにできる。
【００２０】
本発明の第４特徴構成は、第３特徴構成に加えて、前記光学式検出手段が、互いに異なる箇所に位置させて複数設けられ、且つ、それら複数の光学式検出手段が互いに異なるタイミングで光を照射して前記反射光を検出するように検出用作動タイミングを制御されるように構成され、前記外径判別手段が、前記複数の光学式検出手段の検出情報に基づいて被加熱物の外径を判別するように構成されている点にある。
【００２１】
第４特徴構成によれば、前記光学式検出手段が、互いに異なる箇所に位置させて複数設けられる。このように、光学式検出手段が互いに異なる箇所に位置させて複数設けられるものであるから、例えば、複数の光学式検出手段をバーナの径方向に沿って互いに異なる箇所に位置させるようにすると、被加熱物の外径を３段階以上の多段階に分けて判別することが可能となる。又、複数の光学式検出手段をバーナの周方向に沿って互いに異なる箇所に位置させるようにすると、被加熱物が五徳に載置されるときに被加熱物の中心位置がバーナの中心位置から位置ずれするような場合であっても外径を判別することが可能な構成とすることもできる。
【００２２】
そして、複数の光学式検出手段が互いに異なるタイミングで光を照射して前記反射光を検出するように検出用作動タイミングを制御されるように構成されているので、各光学式検出手段により検出作動を適正に行うことが可能となる。説明を加えると、例えば、前記光透過窓と被加熱物の底部との間が離間しており、一つの光学式検出手段が光を照射して被加熱物で反射した光が、別の箇所に設けられる他の光学式検出手段にて受光するおそれがあるような場合であっても、上記したように互いに異なるタイミングで光を照射して反射光を検出するように検出用作動タイミングを制御されるから、一つの光学式検出手段が光を照射して反射光を検出するときに、被加熱物にて反射した光が他の箇所に設けられる他の光学式検出手段にて誤って検出されることがなく、検出作動を適正に行うことが可能となる。
【００２３】
本発明の第５特徴構成は、第３特徴構成又は第４特徴構成に加えて、前記光学式検出手段が、平面視で前記バーナの中心部を中心位置として複数重の同心円状又はほぼ同心円状に並び、且つ、周方向に間隔をあけて並ぶ状態で複数設けられ、前記外径判別手段が、前記複数の光学式検出手段の検出情報に基づいて被加熱物の外径を判別するように構成されている点にある。
【００２４】
第５特徴構成によれば、前記光学式検出手段が、平面視でバーナの中心部を中心位置として複数重の同心円状又はほぼ同心円状に並ぶ状態で複数設けられる。言い換えると、複数の光学式検出手段が、複数重の同心円上に位置する又はその同心円の近傍に位置する状態で周方向に間隔をあけて並ぶことになる。そして、複数重の同心円のうちのいずかの１つの同心円上に位置する又はその同心円の近傍に位置する状態で周方向に間隔をあけて並ぶ複数の光学式検出手段、すなわち、１つの同心円に沿うように周方向に並ぶ複数の光学式検出手段が全て被加熱物の存在を検出している場合には、被加熱物の外径がその同心円の径よりも大径であると判別することができ、又、複数の光学式検出手段が全て被加熱物の存在を検出していない場合には、被加熱物の外径がその同心円の径よりも小径であると判別することができ、上記したような同心円の径を外径判別の基準として被加熱物の外径を判別することが可能である。
【００２５】
しかも、複数の光学式検出手段が複数重の同心円状又はほぼ同心円状に並ぶものであるから、複数重の同心円の径の夫々を外径判別の基準として被加熱物の外径の判別を複数段階にわたって行うことが可能となる。つまり、複数種の外径の被加熱物が存在する場合であっても、その外径を適切に検出することが可能となる。
【００２６】
又、例えば、複数重の同心円のうちのいずれかの１つの同心円に沿うように周方向に並ぶ複数の光学式検出手段が全て被加熱物の存在を検出していなくても、そのうちの設定割合（例えば過半数）以上のものが被加熱物を検出しているときは、その同心円の径よりも大径であるが位置ずれが発生していると判別することも可能であり、被加熱物の位置ずれにかかわらず適切な外径の検出が可能となる。
【００２７】
従って、複数種の外径の被加熱物が存在し、且つ、五徳に載置されるときにバーナの中心位置に対して被加熱物の中心位置がずれているような場合であっても、被加熱物の外径を適切に検出することが可能となる。
【００２８】
本発明の第６特徴構成は、第３特徴構成に加えて、前記光学式検出手段が、前記バーナの径方向に沿って被加熱物の外径を検出するための検出用移動範囲にわたって駆動移動される状態で設けられ、前記外径判別手段が、前記光学式検出手段が移動されたときのその光学式検出手段の検出情報に基づいて、被加熱物の外径を判別するように構成されている点にある。
【００２９】
第６特徴構成によれば、前記光学式検出手段が前記検出用移動範囲内で径方向に沿って駆動移動されるが、外径判別手段は、光学式検出手段が移動されたときのその光学式検出手段の検出情報に基づいて被加熱物の外径を判別することになる。
【００３０】
例えば、光学式検出手段が前記検出用移動範囲の径方向内方側端部に位置しているときの光学式検出手段の検出情報、光学式検出手段が前記検出用移動範囲の径方向外方側端部に位置しているときの光学式検出手段の検出情報、光学式検出手段が前記検出用移動範囲の途中位置に位置しているときの光学式検出手段の検出情報等に基づいて被加熱物の外径を判別することができる。このとき、前記径方向内方側端部に位置しているときの前記検出情報と、前記径方向外方側端部に位置しているときの検出情報だけを用いて外径を判別することも可能であり、前記検出用移動範囲内において光学式検出手段を連続的に移動させているときの光学式検出手段の連続的に変化する検出情報に基づいて外径を判別することも可能であり、各種の形態で実施することが可能である。
【００３１】
そして、このように光学式検出手段をバーナの径方向に沿って駆動移動させる構成であるから、光学式検出手段を位置固定状態で複数設ける構成に比べて、光学式検出手段の個数を少なくして構成を簡素化させた状態で、複数種の外径が存在する被加熱物に対しても外径を適切に検出することが可能となる。
【００３２】
本発明の第７特徴構成は、第１特徴構成〜第６特徴構成のいずれかに加えて、前記五徳に被加熱物が載置されているか否かを検出する載置状態検出手段が設けられ、前記燃焼制御手段は、前記点火指令手段により点火が指令されたときに、前記載置状態検出手段にて前記五徳に被加熱物が載置されていないことが検出されると、前記点火処理を実行しないように構成されている点にある。
【００３３】
第７特徴構成によれば、点火指令手段により点火が指令されたときに、載置状態検出手段にて五徳に被加熱物が載置されていないことが検出されると、点火処理を実行しないので、使用上の安全性を向上させることができる。
つまり、五徳に被加熱物が載置されていない状態でバーナに点火用燃焼量にて点火されることがあると、被加熱物が存在していない状態で大きな火炎が形成されることになり、コンロ使用者にとって危険な状態となるおそれがあるが、上記構成では、載置状態検出手段にて五徳に被加熱物が載置されているか否かを検出して、被加熱物が載置されていないときには点火処理を実行しないので、不必要に大きな火炎が形成されることがなく使用上の安全性を向上させることができる。
【発明を実施するための最良の形態】
【００３４】
以下、図面に基づいて本発明の実施形態を説明する。
図１に、本発明に係るコンロとして構成されたビルトイン式のコンロの概略図を示している。このコンロは、３つのコンロバーナ部３０とグリル部３１とを備えて構成され、システムキッチンのカウンター３２に開口された設置部３３に設けられる構成となっている。
【００３５】
図２に示すように、前記各コンロバーナ部３０は、耐熱性を備える材質からなる平板状の天板１と、調理用の鍋等の被加熱物Ｎを載置可能な五徳２、その五徳２上に載置される被加熱物Ｎを加熱するガス燃焼式のバーナ３と、そのバーナ３の作動を制御する制御部４、人為操作にて制御部４に各種の指令を行う操作部５等を備えて構成されている。
【００３６】
前記バーナ３は、ブンゼン燃焼式のバーナであり、燃料供給路６を通じて供給される燃料ガスＧを噴出するガスノズル７、そのガスノズル７から燃料ガスＧが噴出されると共に、その燃料ガスＧの噴出に伴う吸引作用により燃焼用空気Ａが供給される混合管８、及び、混合管８から供給される混合気を径方向外方側に噴出する複数の炎口９を備えたバーナ本体１０等を備えて構成され、前記バーナ本体１０は天板１に形成された開口１１を通して上方に露出する状態となっている。そして、炎口９から噴出される混合気を燃焼させて火炎を形成して被加熱物Ｎを加熱するように構成されている。前記燃料供給路６には、前記ガスノズル７への燃料ガスＧの供給を断続する断続弁１２と、ガスノズル７への燃料ガスＧの供給量を調節してバーナ３による火力すなわち燃焼量を変更調整自在な燃焼量調整手段としてのガス量調節弁１３とが設けられる。又、バーナ３の炎口９の近傍には点火用のイグナイタ１４及びバーナ３への着火状態を確認するための熱電対１５も設けられる。
【００３７】
図１に示すように、前記操作部５には、押し操作する毎にバーナ３への点火指令を指令する点火指令状態と消火指令を指令する消火指令状態とに交互に切り換わる点火指令手段の一例としての点消火スイッチ１６、前記バーナ３の燃焼量の変更を指令するための燃焼量調節器１７等が設けられている。
【００３８】
そして、このコンロには、３つのコンロバーナ部３０のうちの２つコンロバーナ部３０において，五徳２に載置された被加熱物Ｎの底部の外径の大きさを検出するための外径検出手段Ｋが設けられている。この外径検出手段Ｋは、被加熱物に接触しない非接触状態で
被加熱物の外径を検出するように構成されている。
【００３９】
以下、外径検出手段Ｋの具体構成について説明する。
すなわち、外形検出手段Ｋは、天板１の下方側に位置する状態で備えられて、その天板１に形成された光透過窓１８を通して上方に光を照射し、且つ、被加熱物Ｎの底部にて反射してくる反射光を検出する光学式検出手段としての反射型の光センサＳ１〜Ｓ８と、その光センサＳ１〜Ｓ８の検出情報に基づいて被加熱物Ｎの外径を判別する外径判別手段１０１とを備えて構成されている。
【００４０】
そして、前記光センサＳ１〜Ｓ８が互いに異なる箇所に位置させて複数設けられ、前記外径判別手段１０１が、複数の光センサＳ１〜Ｓ８にて互いに異なるタイミングで検出された夫々の検出情報に基づいて被加熱物Ｎの外径を判別するように構成されている。説明を加えると、前記光センサＳ１〜Ｓ８は、平面視で前記バーナの中心部を中心位置として複数重に同心円状又はほぼ同心円状に並び、且つ、周方向に間隔をあけて並ぶ状態で複数設けられ、外径判別手段１０１が、各光センサＳ１〜Ｓ８の検出情報に基づいて被加熱物Ｎの外径を判別するように構成されている。
【００４１】
以下、外径検出手段Ｋの具体的な構成について説明する。
図２、図３に示すように、平面視において五徳２が存在する箇所とは異なる箇所における天板１の下方側に前記光センサＳ１〜Ｓ８が設けられ、この光センサＳ１〜Ｓ８は、平面視でバーナ３の中心部を中心位置として２重の同心円状又はほぼ同心円状に並び、且つ、周方向に約９０度づつ間隔をあけて並ぶ状態で合計８個設けられている。つまり、合計８個の光センサＳ１〜Ｓ８がバーナ３の外周部に分散配置される構成となっている。
【００４２】
そして、図７（ロ）に実線で示すように、標準的な中程度の外径（約２０ｃｍ程度）の被加熱物Ｎをバーナ３の中心位置に中心を合わせて載置させると、径方向の内側に位置する４個の光センサＳ１〜Ｓ４が全て被加熱物Ｎの存在を検出し、径方向の外側に位置する４個の光センサＳ５〜Ｓ８が全て被加熱物Ｎの存在を検出しない状態となるような配置関係としている。又、標準的な中程度の外径よりも小さい小径の被加熱物Ｎであれば、図７（イ）に実線で示すように、径方向の内側に位置する４個の光センサＳ１〜Ｓ４が全て被加熱物Ｎの存在を検出しない状態となり、標準的な中程度の外径よりも大きい大径の被加熱物Ｎであれば、図７（ハ）に実線で示すように、径方向の外側に位置する４個の光センサＳ５〜Ｓ８が全て被加熱物Ｎの存在を検出する状態となる構成としている。
【００４３】
前記光透過窓１８は、上記したような８個の外径検出用の光センサＳ１〜Ｓ８が位置する箇所において夫々各別に、上下方向に光が透過する状態で形成され、天板１を構成する材質とは異なる透光性材料にて構成されている。
【００４４】
前記８個の外径検出用の光センサＳ１〜Ｓ８は夫々同じ構成のものであり、図２に示すように、前記光透過窓１８を通して上方に光を照射する発光部１９と、上方に照射した光が被加熱物Ｎの底部にて反射した光を受光する受光部２０とを備えて構成されている。発光部１９にて光透過窓１８を通して上方に向けて光を照射するが、その光照射位置に被加熱物Ｎが存在していれば、被加熱物Ｎの底部にて反射した光を受光部２０が受光するが、被加熱物が存在していないと受光しないことになる。従って、受光部２０による受光情報に基づいて、光透過窓１８の上方側箇所における被加熱物Ｎの存否を判別することができる。尚、前記発光部１９は例えば発光ダイオード等により構成され、前記受光部２０はフォトダイオード等により構成されている。
【００４５】
図４に示すように、前記各光センサＳ１〜Ｓ８は、制御部４に接続されており、それらの各光センサＳ１〜Ｓ８が互いに異なるタイミングで光を照射して反射光を検出するように検出用作動タイミングで制御部４により制御される構成となっている。
【００４６】
又、前記バーナ本体１０はバーナ３中心部付近に上下方向に貫通する貫通孔２１を形成する状態で環状に設けられ、その貫通孔２１の下方側には、五徳２に被加熱物Ｎが載置されているか否かを検出するための載置状態検出用の光センサＳ９が設けられ、この光センサＳ９の検出情報も制御部４に入力される構成となっている。
【００４７】
この載置状態検出用の光センサＳ９は、外径検出用の８個の光センサＳ１〜Ｓ８と同じ構成の光センサであり、発光部１９にて前記貫通孔２１を通して上方に向けて光を照射して、五徳２に被加熱物Ｎが載置されている状態であれば、被加熱物Ｎの底部にて光が反射して、その反射した光を受光部２０が受光することになるが、被加熱物Ｎが載置されていなければ光は反射されないので受光部２０が受光しないことになる。従って、受光部２０による受光情報に基づいて、五徳２に被加熱物Ｎが載置されているか否かを検出することができる。
【００４８】
そして、前記バーナ３の燃焼状態を制御する燃焼制御手段１００が備えられており、この燃焼制御手段１００は、前記点消火スイッチ１６により点火が指令されると、バーナ３の燃焼量が点火に適した大きめの燃焼量である点火用燃焼量になるようにガス量調節弁１３を調整してバーナ３に点火する点火処理を実行し、且つ、前記点火処理を実行した後に、外径検出手段Ｋの検出情報に基づいて被加熱物Ｎの外径に対応した燃焼量になるようにガス量調節弁１３を制御する燃焼量調整処理を実行するように構成されている。
【００４９】
この実施形態では、前記燃焼制御手段１００及び前記外径判別手段１０１は制御部４を利用して構成されている。つまり、制御部４は、マイクロコンピュータを備えて構成され、後述するように、バーナ３への点火処理、バーナ３の燃焼量調整処理、バーナ３の消火処理、被加熱物Ｎの外径を判別する外径判別処理等を実行するように構成されている。又、制御部４は、点消火スイッチ１６により点火が指令されたときに、載置状態検出用の光センサＳ９の検出情報に基づいて被加熱物Ｎの存否を判別する被加熱物存否判定処理を実行し、被加熱物Ｎが載置されていなければ点火処理を実行しないように構成されている。従って、制御部４を利用して被加熱物存否判別手段１０２が構成されており、この被加熱物存否判別手段１０２と前記載置状態検出用の光センサＳ９とに基づいて五徳２に被加熱物Ｎが載置されているか否かを判別する載置状態検出手段Ｊが構成されている。
【００５０】
以下、制御部４による制御内容についてフローチャートに基づいて具体的に説明する。
すなわち、図５に示すように、制御部４は、点消火スイッチ１６により点火指令が指令されると、そのとき、前記載置状態検出用の光センサＳ９の検出作動を実行し、その検出情報に基づいて五徳２に被加熱物Ｎが載置されているか否かを判別する被加熱物存否判別処理を実行する（ステップ１、２）。つまり、載置状態検出用の光センサＳ９における発光部１９により光を照射し、受光部２０により反射光が検出されると五徳２に被加熱物Ｎが載置されていると判別し、反射光が検出されなければ五徳２に被加熱物Ｎが載置されていないと判別する。そして、五徳２に被加熱物Ｎが載置されていないと判別すると、点火処理を実行しないようになっている（ステップ３）。
【００５１】
五徳２に被加熱物Ｎが載置されていると判別すると、バーナ３に点火させる点火処理を実行する。つまり、断続弁１２を開弁させ且つバーナ３の燃焼量が点火用燃焼量になるようにガス量調節弁１３を制御して、イグナイタ１４を作動させて前記バーナ３に点火させる。その後、熱電対１５にてバーナ３への着火状態が確認されるとイグナイタ１４の作動を停止する（ステップ４〜７）。尚、前記点火用燃焼量は調節可能範囲のうちの中間よりも大きめの燃焼量に対応するものである。
【００５２】
次に、制御部４は、バーナ３が点火した後において、前記外径検出用の８個の光センサＳ１〜Ｓ８の検出情報に基づいて、被加熱物の外径が大径、中径、小径のうちのいずれの径であるかを判別する外径判別処理を実行する（ステップ８）。
【００５３】
このとき、各光センサＳ１〜Ｓ８が互いに異なるタイミングで上方に向けて光を照射して反射光の有無を検出するようになっている。説明を加えると、例えば、制御部４は、図６に示すように、１つ目の光センサＳ１が時刻ｔ１で検出が開始し、以下、各光センサＳ２〜Ｓ８が順次異なるタイミングの時刻ｔ２〜ｔ８において検出作動つまり、発光部１９による光の照射及び受光部による反射光の検出等を実行するように、各光センサＳ１〜Ｓ８の作動を制御するように構成されている。
【００５４】
次に前記外径判別処理について説明を加えると、制御部４は、外径検出用の８個の光センサＳ１〜Ｓ８のうち径方向の外側に位置する４つの光センサＳ５〜Ｓ８のうちの３個以上のものが被加熱物Ｎの存在を検知すると、大径の被加熱物Ｎであると判別する。このとき、３個以上としているのは、図７（ハ）の仮想線で示すように被加熱物Ｎがバーナ３の中心位置に対して中心が位置ずれしているような場合には、１個の光センサが存在を検出しないおそれがあるからである。
【００５５】
又、径方向の外側に位置する４つの光センサＳ５〜Ｓ８のうち被加熱物Ｎの存在を検知するものが２個以下であり、径方向の内側に位置する４つの光センサＳ１〜Ｓ４のうちの３個以上のものが被加熱物Ｎの存在を検知すると、中径の被加熱物Ｎであると判別する。このとき、判別基準として３個以上としているのは、大径のときと同様に、図７（ロ）の仮想線で示すように被加熱物Ｎがバーナ３の中心位置に対して中心が位置ずれしているような場合には、１個の光センサが存在を検出しないおそれがあるからである。
【００５６】
そして、径方向の内側に位置する４つの光センサＳ１〜Ｓ４のうち被加熱物Ｎの存在を検知するものが２個以下であれば、小径の被加熱物Ｎであると判別する。このとき判別基準として２個以下としているのは、図７（イ）の仮想線で示すように被加熱物Ｎがバーナ３の中心位置に対して中心が位置ずれしているような場合には、２個の光センサが存在を検出しないおそれがあるからである。
【００５７】
そして、外径が大であると判別するとバーナ３の燃焼量を大径の被加熱物Ｎに適した大燃焼量になるようにガス量調節弁１３を制御し、外径が中であると判別するとバーナ３の燃焼量を中径の被加熱物Ｎに適した中燃焼量になるようにガス量調節弁１３を制御し、外径が小であると判別するとバーナ３の燃焼量を小径の被加熱物Ｎに適した小燃焼量になるようにガス量調節弁１３を制御する（ステップ９〜１２）。
【００５８】
その後、燃焼量調節器１７がコンロの使用者によって手動操作されて燃焼量の変更指令があると、その指令された燃焼量に対応させてガス量調節弁１３を制御する（ステップ１３、１４）。つまり、加熱調理を開始した後においては、使用者により指令される燃焼量にて加熱調理を行うことができる。そして、点消火スイッチ１６により消火指令が指令されると、バーナ３の消火処理を実行する（ステップ１５、１６）。つまり、断続弁１２及びガス量調節弁１３を閉弁させて燃料ガスＧの供給を停止させてバーナ３の燃焼を停止させる。
【００５９】
〔第２実施形態〕
以下、本発明の第２実施形態を説明する。
この第２実施形態では、前記光学式検出手段が、前記バーナの径方向に沿って被加熱物の外径を検出するための検出用移動範囲にわたって駆動移動される状態で設けられ、前記外径判別手段が、前記光学式検出手段が移動されたときのその光学式検出手段の検出情報に基づいて、被加熱物の外径を判別するように構成されている。
【００６０】
すなわち、前記光学式検出手段としての光センサＳ１０，Ｓ１１が被加熱物Ｎの径方向に沿って駆動移動される状態で設けられ、前記外径判別手段が、前記光センサＳ１０，Ｓ１１の径方向に沿って移動したときの位置の変化に対応した検出情報に基づいて、被加熱物Ｎの外径を判別するように構成されている。
説明を加えると、図８、図９に示すように、平面視において五徳２が存在する箇所とは異なる箇所であって、バーナ３の中心位置に対して１８０度対向する位置に、周方向には幅狭で且つ径方向に沿って幅広となる長尺状の一対の光透過窓１８Ａが天板１に形成されている。そして、図１０に示すように、それらの光透過窓１８Ａの下方側に位置させて、夫々、上記第１実施形態にて記載したものと同じ構成の光センサＳ１０，Ｓ１１が設けられている。
【００６１】
前記光センサＳ１０，Ｓ１１を被加熱物Ｎの径方向に沿って駆動移動させるネジ操作式の駆動手段Ｄが設けられている。この駆動手段Ｄは、モータ４０によって回動操作されるネジ軸４１が被加熱物Ｎの径方向に沿って伸びる状態で設けられ、このネジ軸４１に螺合してネジ軸４１の回動に伴って軸芯方向にスライド移動自在な雌ネジ部４２が各光センサＳ１０，Ｓ１１に一体的に備えられて、モータ４０にてネジ軸４１を回動させることで光センサＳ１０，Ｓ１１を被加熱物Ｎの径方向に沿って移動操作することができる構成となっている。又、光センサＳ１０，Ｓ１１の移動操作位置を検出する位置検出手段が設けられている。この位置検出手段は光センサＳ１０，Ｓ１１の径方向の移動操作位置を無段階に検出可能なストロークセンサ４３にて構成されている。
【００６２】
そして、図示は省略しているが、第１実施形態のときと同様な制御部にて構成される外径判別手段が、外径判別処理を実行するときは、光センサＳ１０，Ｓ１１が移動されたときのその光センサＳ１０，Ｓ１１の検出情報に基づいて、被加熱物Ｎの外径を判別するように構成されている。例えば、一対の光センサＳ１０，Ｓ１１を共に径方向外方端部に位置させた状態から順次、径方向内方側に同量づつ単位移動量だけ移動させた後に検出作動を実行することを繰り返し行い、各光センサＳ１０，Ｓ１１が被加熱物Ｎの存在を検出していない状態から被加熱物Ｎの存在を検出する状態に切り換わったときの各光センサＳ１０，Ｓ１１の径方向の移動位置の情報に基づいて被加熱物Ｎの外径を判別する構成となっている。
【００６３】
〔別実施形態〕
次に別実施形態を説明する。
【００６４】
（１）  上記第１実施形態では、前記光学式検出手段が、平面視で前記バーナの中心部を中心位置として２重に同心円状又はほぼ同心円状になる形態で、且つ、同心円状又はほぼ同心円状に位置する一群のもの（４個）が周方向に約９０度づつ間隔をあけて分散配置した状態で８個設けられるものを例示したが、このような構成に限らず、３重、４重等など多重に同心円状又はほぼ同心円状になる形態で設けてもよい。又、周方向に９０度づつ間隔をあけて分散配置するものに限らず、複数の光学式検出手段を周方向に９０度とは異なる角度で間隔をあけて配置するものでもよく、周方向の１箇所において被加熱物の径方向に並べて複数の光学式検出手段を配置する構成としてもよく、要するに、被加熱物の外径を判別することが可能であればよく、種々の配置構成で実施することができる。
【００６５】
（２）  上記第１実施形態では、前記外径判別手段が、前記複数の光学式検出手段にて互いに異なるタイミングで検出された夫々の検出情報に基づいて被加熱物の外径を判別するように構成したが、このような構成に限らず、光学式検出手段として光を発光したり受光するときの指向性が鋭いものを用いるようにすると、複数の光学式検出手段にて同時に検出された夫々の検出情報に基づいて被加熱物の外径を判別するようにすることもできる。
【００６６】
（３）  上記第１実施形態では、前記載置状態検出手段として、前記光学式検出手段と同じような反射型の光センサを備える構成としたが、このような光センサに代えて、例えば、超音波を用いた検出手段を用いたり、あるいは、被加熱物に接触することで存否を判別する接触式の検出手段にて、その検出箇所における被加熱物の存否を検出する検出手段を用いて被加熱物が五徳に載置されているか否かを検出する構成としてもよい。
又、このような載置状態検出手段を備えない構成としてもよい。
【００６７】
（４）  上記第２実施形態では、被加熱物の径方向に沿って移動する光学式検出手段の移動操作位置を検出する位置検出手段として、移動操作位置を無段階に検出可能なストロークセンサを設ける構成としたが、無段階に位置を検出するものに限らず、例えば複数のリミットスイッチを複数の移動位置に備えて移動位置を検出するものでもよく、又、光学式検出手段の移動操作範囲のストロークエンドの位置を予め決めておき、移動操作機構を正逆方向にストロークエンドにまで移動させることを繰り返し実行する構成として、両側のストロークエンドにて被加熱物の存否を判別するようにして位置検出手段を備えない構成としてもよい。
【００６８】
（５）  上記第２実施形態では、一対の光学式検出手段をバーナの外周部において、バーナの周方向に１８０度の間隔をあけて対向配置させる構成としたが、このような構成に限らず、１個の光学式検出手段だけで構成してもよく、又、３個以上の光学式検出手段を周方向に間隔をあけて配置させる構成としてもよい。
【００６９】
（６）  上記各実施形態では、前記外径判別手段として、光学式検出手段を備える構成としたが、光学式検出手段に限らず、例えば、超音波式の検出手段を用いて非接触状態で外径を判別するようにしてもよい。
【図面の簡単な説明】
【００７０】
【図１】コンロの設置状態を示す概略図
【図２】コンロバーナ部の構成図
【図３】コンロバーナ部の平面図
【図４】制御ブロック図
【図５】制御フローチャート
【図６】動作用タイミングチャート
【図７】外径判別状態を示す図
【図８】第２実施形態のコンロの設置状態を示す概略図
【図９】第２実施形態のコンロバーナ部の平面図
【図１０】第２実施形態のコンロバーナ部の構成図
【符号の説明】
【００７１】
１              天板
２              五徳
３              バーナ
１３            燃焼量調整手段
１６            点火指令手段
１８            光透過窓
１００          燃焼制御手段
１０１          外径判別手段
Ｋ              外径検出手段
Ｊ              載置状態検出手段
Ｎ              被加熱物
Ｓ１〜Ｓ１１    光学式検出手段
【図１】
2006242481.tif 000003
【図２】
2006242481.tif 000004
【図３】
2006242481.tif 000005
【図４】
2006242481.tif 000006
【図５】
2006242481.tif 000007
【図６】
2006242481.tif 000008
【図７】
2006242481.tif 000009
【図８】
2006242481.tif 000010
【図９】
2006242481.tif 000011
【図１０】
2006242481.tif 000012